(57)【要約】【課題】交流電源供給を受ける駆動部と直流電源供給を受ける制御部とで効率良く電源供給を受けることができる交流・直流両給電型ＩＣ搭載電気製品を提供する。【解決手段】本発明は、交流電源を使用するヒータ１４と、ヒータ１４を駆動させるために交流電源供給を行う交流電源用入力端子１１と、直流電源を使用するＣＰＵ１３と、ＣＰＵ１３を駆動させるために直流電源供給を行う直流電源用入力端子１２と、を備えている。【選択図】図１
2012170303.tif 000002
【特許請求の範囲】
【請求項１】
交流電源を使用する駆動部と、該駆動部を駆動させるために交流電源供給を行う交流電源用入力端子と、直流電源を使用する制御部と、該制御部を駆動させるために直流電源供給を行う直流電源用入力端子と、を備えることを特徴とする交流・直流両給電型ＩＣ搭載電気製品。
【請求項２】
前記直流電源用入力端子に直流電源からの電力が入力されていない場合には、前記交流電源用入力端子に入力された交流電源から作り出した直流電源にて前記制御部を駆動させる電源供給切換回路部を備えていることを特徴とする請求項１に記載の交流・直流両給電型ＩＣ搭載電気製品。
【請求項３】
前記直流電源用入力端子に直流電源からの電力が入力されていない場合には、前記直流電源用入力端子に直流電源を接続するよう促す報知部を備えていることを特徴とする請求項１又は請求項２交流・直流両給電型ＩＣ搭載電気製品。
【請求項４】
前記交流電源用入力端子に交流電源からの電力が入力されていない場合には、前記交流電源用入力端子に交流電源を接続するように促す報知部を備えていることを特徴とする請求項１から３の何れか１項に記載の交流・直流両給電型ＩＣ搭載電気製品。
【請求項５】
前記直流電源用入力端子からの直流電源の電圧を監視し、直流電源用蓄電池に蓄えられた直流電源の電圧が降下してきたと判断した場合には、前記交流電源から直流電流を作り出すＡＣＤＣ変換部を備えることを特徴とする請求項１から４の何れか１項に記載の交流・直流両給電型ＩＣ搭載電気製品。
【請求項６】
前記制御部は、前記駆動部が待機状態にある時に前記制御部への電力を落として電力消費を減少させるスリープ機能を実行することを特徴とする請求項１から５の何れか１項に記載の交流・直流両給電型ＩＣ搭載電気製品。
【請求項７】
前記直流電源用入力端子にトリガー信号が受信されたときに前記制御部に復帰用電力供給を行う復帰電源供給回路部を備え、前記制御部は前記復帰電源供給回路部からの復帰用電力供給によって立ち上げ駆動すると共に電源供給を安定化させるために前記ＡＣＤＣ変換部からの電源供給を受けるための前記電源供給切換回路部をＯＮさせることを特徴とする請求項５又は請求項６に記載の交流・直流両給電型ＩＣ搭載電気製品。
【請求項８】
交流電源を使用する駆動部を駆動させるために交流電源用入力端子から交流電源供給を行うと共に、直流電源を使用する制御部を駆動させるために直流電源用入力端子から直流電源供給を行い、前記駆動部が待機状態にある時に前記制御部への電力を落として電力消費を減少させるスリープ機能を実行している際に前記直流電源用入力端子にトリガー信号が受信されたときに前記制御部に立ち上げ用の復帰用電力供給を行ったうえで、電源供給を安定化させるために前記交流電源用入力端子から入力されて直流電源に変換された電源供給を受けることを特徴とする交流・直流両給電型ＩＣ搭載電気製品の電源供給方法。
【請求項９】
交流電源を使用する駆動部を駆動させるために交流電源供給を行う交流電源用入力端子と、直流電源を使用する制御部を駆動させるために直流電源供給を行う直流電源用入力端子と、前記駆動部が待機状態にある時に前記制御部への電力を落として電力消費を減少させるスリープ機能を実行している際に前記制御部への電源供給を断し且つ前記直流電源用入力端子にトリガー信号が受信されたときに前記制御部に立ち上げ用の復帰用電力供給を行う復帰電源供給回路部と、前記直流電源用入力端子から供給された直流電源の電圧を前記制御部への電源供給用として低圧に変換するＤＣＤＣ変換回路を備えたＤＣＤＣ電源供給回路部と、前記制御部への電源供給を安定化させるために前記交流電源用入力端子から入力されてＡＣＤＣ変換回路で変換された直流電源を供給する電源供給切換回路部と、を備え、前記復帰電源供給回路部は前記ＤＣＤＣ電源供給回路部よりも給電側に配置されて前記ＤＣＤＣ電源供給回路部から前記制御部への電源供給を遮断している際に前記ＤＣＤＣ変換回路による変換ロスを生じさせないことを特徴とする交流・直流両給電型ＩＣ搭載電気製品用電源回路。
【発明の詳細な説明】
【技術分野】
【０００１】
本発明は、交流・直流両給電型ＩＣ搭載電気製品、その製品の電源供給方法及び電源回路に関する。
【背景技術】
【０００２】
現在、電力供給会社からの給電は、日本国内においては交流（以下、「ＡＣ」と称する）１００Ｖで各家庭に送電されていることは周知である。よって、家庭内の家電製品は、ＡＣ１００Ｖから直流（以下、「ＤＣ」と称する）を作り出し、ＩＣやトランジスタ等を駆動する電源としている。
【０００３】
例えば、ＡＣ→ＤＣ変換された電力をＣＰＵで使用し、スリープ時にはその電力を遮断すると共にファクシミリ受信（着呼）をトリガーとしてその電力を復帰させる省エネルギーの回路構成が知られている（例えば、特許文献１参照）。
【発明の概要】
【発明が解決しようとする課題】
【０００４】
ところで、電力の流れを供給側と需要側との両方から制御することによって電源の使用効率を上げると共に、最適かつ安定した電力を供給する送電網を構築するスマートグリッド（次世代送電網）という考え方が広まってきている。
【０００５】
そもそも、スマートグリッドは、図７に示すように、発電設備（発電プラント１）から末端（家庭２）の電力機器までを、ＩＣ内蔵の電力制御装置間をネットワーク化し、中央制御方式だけでは達成できない自律分散的な制御方式も取り入れながら、電力網内での需給バランスの最適化調整と事故や過負荷などに対する抗堪性を高めることを目的としており、脆弱な送配電網とされるアメリカ或いは日本等を除くアジア諸国で検討され、実現に向けて動き出しているものである。
【０００６】
これに対し、比較的安定した送配電網が構築されている日本等においては、図５に示すように、上述した発電設備（発電プラント１）から末端（家庭２）までのＡＣでの給電に加え、所謂エコ化に配慮された自家発電３と相性が良いＤＣでの給電との両給電で考えられていることが多い。
【０００７】
具体的には、自家発電３として、各家庭においても太陽電池（又は燃料電池）４、或いは、都市ガスによるコジェネレーション発電システム５といったものが導入されるようになると、ＡＣ・ＤＣ間のエネルギー変換による無駄が目立つようになると考えられる。現在試験的に導入されているような自宅で発電されたＤＣをパワーコンディショナと呼ばれる系統電力に電圧や位相を合わせる装置によって一旦、ＡＣへと変換してから、家庭内の各部屋等に供給する方式のままでは、直流電源用蓄電池６への充放電のためにＡＣとＤＣとの変換損失が生じてしまい、大きな無駄が生じてしまう。
【０００８】
そこで、家庭内の電気製品をＤＣ給電とＡＣ給電とによって賄えるようにすれば、各電気製品でのＡＣ−ＤＣ変換の回路を省くことができ、コストや容積、故障を減らせ、系統電力からの１ヶ所のＤＣ−ＡＣ変換装置の変換効率を高めるだけでエネルギー損失を大きく減すことができると考えられる。
【０００９】
しかしながら、このＡＣ・ＤＣ両給電電源に、例えば、家庭用電気製品としてのレーザープリンタやファクシミリ、或いはこれらを機能的に備えたデジタル複合機（ＭＦＰ）といったＩＣ搭載電気製品を接続する場合、ＤＣ電源が手元まで来ているにもかかわらず、ＡＣ電源からＤＣ電源へと変換したうえでＩＣ基盤に給電を行うため、依然として変換効率に無駄が生じるといった問題がある。
【００１０】
また、上述した省エネルギー回路構成であっても、駆動系の動作を停止しているスリープ時の省エネ化を考えると、ＡＣ・ＤＣ変換部分は常に動かしておく必要があるため、この部分の変換効率の悪さが常についてまわるという問題がある。
【００１１】
尚、このような問題は、ファクシミリに限定されず、バッテリ（電池）内蔵型のＩＣ搭載家電を除き、例えば、タイマ機能等を備えた炊飯器や電磁調理器、或いは、洗濯機、食洗機や電熱ヒータといった各種家庭用のＩＣ搭載電気製品において、比較的ＡＣ電源を用いた方が良いと思われるヒータ等の駆動系への給電には電力会社から供給されるＡＣ給電を従来通り使用し、比較的ＤＣ電源で足ると思われるコントローラー等電子回路基盤や各種センサ類への給電には自家発電によるＤＣ給電を行うことによって、効率の良いエネルギーの使用環境を提供することができる。また、例えば、タイマ機能時や省エネ待機時（スリープ時）において、タイマのカウントアップやファクシミリ受信（着呼）といったＡＣ電源を用いた駆動系を動作させるトリガーを備えている場合には、ＤＣ電源を使用しているＣＰＵへの電源経路までも遮断することにより、より一層大きな省エネ効果を得ることができると考えられる。
【００１２】
そこで、本発明は、交流電源供給を受ける駆動部と直流電源供給を受ける制御部とで効率良く電源供給を受けることができる交流・直流両給電型ＩＣ搭載電気製品を提供することを目的とする。また、待機状態にある場合であっても、交流から直流への変換を常に動作させる必要を無くし、省エネルギー効率をより一層向上することができる交流・直流両給電型ＩＣ搭載電気製品を提供することを目的とする。
【課題を解決するための手段】
【００１３】
上記課題を解決するため、本発明の交流・直流両給電型ＩＣ搭載電気製品は、交流電源を使用する駆動部と、駆動部を駆動させるために交流電源供給を行う交流電源用入力端子と、直流電源を使用する制御部と、制御部を駆動させるために直流電源供給を行う直流電源用入力端子と、を備えることを特徴とする。
【００１４】
本発明の交流・直流両給電型ＩＣ搭載電気製品は、前記直流電源用入力端子に直流電源からの電力が入力されていない場合には、前記交流電源用入力端子に入力された交流電源から作り出した直流電源にて前記制御部を駆動させる電源供給切換回路部を備えていることを特徴とする。
【００１５】
本発明の交流・直流両給電型ＩＣ搭載電気製品は、前記直流電源用入力端子に直流電源からの電力が入力されていない場合には、前記直流電源用入力端子に直流電源を接続するよう促す報知部を備えていることを特徴とする。
【００１６】
本発明の交流・直流両給電型ＩＣ搭載電気製品は、前記交流電源用入力端子に交流電源からの電力が入力されていない場合には、前記交流電源用入力端子に交流電源を接続するように促す報知部を備えていることを特徴とする。
【００１７】
本発明の交流・直流両給電型ＩＣ搭載電気製品は、前記直流電源用入力端子からの直流電源の電圧を監視し、直流電源用蓄電池に蓄えられた直流電源の電圧が降下してきたと判断した場合には、前記交流電源から直流電流を作り出すＡＣＤＣ変換部を備えることを特徴とする。
【００１８】
本発明の交流・直流両給電型ＩＣ搭載電気製品は、前記制御部は、前記駆動部が待機状態にある時に前記制御部への電力を落として電力消費を減少させるスリープ機能を実行することを特徴とする。
【００１９】
本発明の交流・直流両給電型ＩＣ搭載電気製品は、前記直流電源用入力端子にトリガー信号が受信されたときに前記制御部に復帰用電力供給を行う復帰電源供給回路部を備え、前記制御部は前記復帰電源供給回路部からの復帰用電力供給によって立ち上げ駆動すると共に電源供給を安定化させるために前記ＡＣＤＣ変換部からの電源供給を受けるための前記電源供給切換回路部をＯＮさせることを特徴とする。
【００２０】
本発明の交流・直流両給電型ＩＣ搭載電気製品の電源供給方法は、交流電源を使用する駆動部を駆動させるために直流電源用入力端子から直流電源供給を行うと共に、直流電源を使用する制御部を駆動させるために交流電源用入力端子から交流電源供給を行い、前記駆動部が待機状態にある時に前記制御部への電力を落として電力消費を減少させるスリープ機能を実行している際に前記直流電源用入力端子にトリガー信号が受信されたときに前記制御部に立ち上げ用の復帰用電力供給を行ったうえで、電源供給を安定化させるために前記交流電源用入力端子から入力されて直流電源に変換された電源供給を受けることを特徴とする。
【００２１】
本発明の交流・直流両給電型ＩＣ搭載電気製品用電源回路は、交流電源を使用する駆動部を駆動させるために直流電源供給を行う直流電源用入力端子と、直流電源を使用する制御部を駆動させるために交流電源供給を行う交流電源用入力端子と、前記駆動部が待機状態にある時に前記制御部への電力を落として電力消費を減少させるスリープ機能を実行している際に前記制御部への電源供給を断し且つ前記直流電源用入力端子にトリガー信号が受信されたときに前記制御部に立ち上げ用の復帰用電力供給を行う復帰電源供給回路部と、前記直流電源用入力端子から供給された直流電源の電圧を前記制御部への電源供給用として低圧に変換するＤＣＤＣ変換回路を備えたＤＣＤＣ電源供給回路部と、前記制御部への電源供給を安定化させるために前記交流電源用入力端子から入力されてＡＣＤＣ変換回路で変換された直流電源を供給する電源供給切換回路部と、を備え、前記復帰電源供給回路部は前記ＤＣＤＣ電源供給回路部よりも給電側に配置されて前記ＤＣＤＣ電源供給回路部から前記制御部への電源供給を遮断している際に前記ＤＣＤＣ変換回路による変換ロスを生じさせないことを特徴とする。
【発明の効果】
【００２２】
本発明によれば、交流電源供給を受ける駆動部と直流電源供給を受ける制御部とで効率良く電源供給を受けることができる。
【図面の簡単な説明】
【００２３】
【図１】本発明の一実施形態に係る交流・直流両給電型ＩＣ搭載電気製品を示し、（Ａ）は交流・直流両給電型ＩＣ搭載電気製品の使用例の説明図、（Ｂ）は交流・直流両給電型ＩＣ搭載電気製品の概略の電源供給例の説明図である。
【図２】交流給電と直流給電との動作説明の説明図である。
【図３】本発明の一実施形態に係る交流・直流両給電型ＩＣ搭載電気製品の要部の電源回路図である。
【図４】本発明の一実施形態に係る交流・直流両給電型ＩＣ搭載電気製品の制御ルーチンのフロー図である。
【図５】本発明の一実施形態に係る送電システムの説明図である。
【図６】従来の家電製品を示し、（Ａ）は家電製品の使用例の説明図、（Ｂ）は家電製品の概略の電源供給例の説明図である。
【図７】従来の送電システムの説明図である。
【発明を実施するための形態】
【００２４】
次に、本発明の一実施形態に係る交流・直流両給電型ＩＣ搭載電気製品について、図面を参照して説明する。尚、以下に示す実施例は本発明の交流・直流両給電型ＩＣ搭載電気製品における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００２５】
図１は本発明の一実施形態に係る交流・直流両給電型ＩＣ搭載電気製品を示し、図１（Ａ）は交流・直流両給電型ＩＣ搭載電気製品の使用例の説明図、図１（Ｂ）は交流・直流両給電型ＩＣ搭載電気製品の概略の電源供給例の説明図である。
【００２６】
本実施形態の交流・直流両給電型ＩＣ搭載電気製品は、図１（Ａ）に示すように、その前提として、使用場所には交流電源入力端子（コンセントで表示）１１と直流電源入力端子（コンセントで表示）１２の両方による給電が可能となっている。また、以下の説明では、本発明に係る交流・直流両給電型ＩＣ搭載電気製品として、少なくともファクシミリ機能（スキャナ機能）とプリンタ機能とを具備したデジタル複合機（以下、「ＭＰＦ」と称する。）１０に適用して説明する。尚、以下においては、交流電源入力端子１１は交流電源１１、直流電源入力端子１２は直流電源１２で説明する。
【００２７】
ＭＰＦ１０は、図１（Ｂ）に示すように、駆動部の代表として示す定着部加熱用のヒータ１４は交流電源１１からの電力で専用に動作させる構成とする。また、制御部としてのＣＰＵ（コントロール基盤）１３等は直流電源１２からの電力で専用に動作させる構成を採用している。これにより、無駄な交流−直流間の変換を避けることができ、無駄なく電力を使用することができる。また、直流電源１２からのＣＰＵ１３への給電は、所謂スリープ機能による待機時には完全に遮断され、ファクシミリの受信信号（着呼）をトリガー信号として給電が行われる。この際、直流給電を完全にカットすることにより大きな省エネ効果を得ることができる。
【００２８】
例えば、本実施形態のＭＰＦ１０は、図６（Ａ）、（Ｂ）に示す従来型の交流電源専用のＭＰＦ１０のように、駆動部としてのヒータ１４には交流電源を供給し、その他のＣＰＵ等にはＡＣ／ＤＣ変換部１５で直流電源に変換したうえで、各モジュールに対応した電圧に直流電圧変換部１６で電圧変換して供給する場合の、電力は元の電力の０．８Ｘ０．８＝０．６４（６４％）の効率となる。
【００２９】
これに対し、図１に示すように、直流・交流両給電の場合には、ＡＣ／ＤＣ変換部１５による変換を必要としないので、各モジュールの電力効率は元の８０％となっており、改善していることがわかる。
【００３０】
尚、図１（Ａ）に示したＭＰＦ１０は、モード切替や電話番号ダイヤル操作等のための各種キースイッチや表示パネルといった操作部１７を備えている。この操作部１７による操作はＣＰＵ１３によって各モジュール等に反映（制御）される。
【００３１】
これにより、ＭＰＦ１０は、図２に示すように、交流給電と直流給電とで通常動作を行う。また、直流給電のみではヒータ１４を駆動させることができないために、操作部１７の表示パネルに、『交流電源（コンセント）を繋いで下さい。』といったメッセージを表示する。さらに、直流給電がシステムとして設置されていない家庭の場合を含め、交流給電のみでは直流給電されていないために、交流給電から直流電源を作り出して、各種動作を行う。
【００３２】
図３は、直流・交流両給電に対応したファクシミリシステムの回路図である。この回路図は交流、直流、両コンセントの抜けを検知し、適切な動作を実現する。また、この回路は、直流・交流両給電に対応し効率的な給電を行うと共に、効率的なスリープモードを実現する。
【００３３】
図３において、この回路は、交流電源１１（以下、「ＡＣＳ１」と称する。）、直流電源１２（以下、「ＤＣＳ１」と称する。）、制御部としてのＣＰＵ１３、駆動部としてのヒータ１４（以下、「ＨＴＲ１」と称する。）を備えている。また、この回路は、電話回線Ｌ１，Ｌ２を入力とする電話回線コントロール部１００と、ＡＣＳ１及びＤＣＳ１から電源供給を行うヒータコントロール部２００と、ＣＰＵ１３を備えたメインコントロール部３００と、から成り立っている。
【００３４】
電話回線コントロール部１００は、切換回路ＣＭＬ、ダイオードブリッジＤＢ１、トランス１０１、電解コンデンサＣ１、オペアンプＯＰ１、コンデンサＣ２、トランジスタＴｒ１のカソードがＤＣＳ１に接続されたフォトカプラＰＣ１、トランジスタＴｒ１のエミッタに接続された抵抗Ｒ１，Ｒ２と、アノードが抵抗Ｒ１と抵抗Ｒ２との間に接続され且つカソードがＣＰＵ１３のＶｃｃに接続されたダイオードＤ１と、を備えている。また、電話回線コントロール部１００の出力端子Ｔｘ，Ｒｘは図示を略するモデムへと接続されている。尚、フォトカプラＰＣ１と抵抗Ｒ１，Ｒ２とは、後述する復帰電源供給回路部を構成している。
【００３５】
ヒータコントロール部２００は、直流電源１２からＣＰＵ１３に電源供給を行うためのＤＣＤＣ電源供給回路部２０１と、交流電源１１から主としてヒータＨＴＲ１に電源供給を行うためのＡＣＡＣ電源供給回路部２０２と、交流電源１１からＣＰＵ１３に電源供給を行うためのＡＣＤＣ電源供給回路部２０３と、を備えている。
【００３６】
ＤＣＤＣ電源供給回路部２０１は、メインスイッチＳＷ１と、メインスイッチＳＷ１にアノードが接続されたダイオードＤ２と、メインスイッチＳＷ１とダイオードＤ２との間に接続されて直流検出回路を構成する抵抗Ｒ３，Ｒ４と、ダイオードＤ２のカソードにエミッタ接続されたトランジスタＴｒ２と、トランジスタＴｒ２にコレクタ接続されたＤＣ／ＤＣ変換回路部ＤＣＤＣ１と、ＤＣ／ＤＣ変換回路部ＤＣＤＣ１の出力側にアノード接続されると共にダイオードＤ１とＣＰＵ１３のＶｃｃ間にカソード接続されたダイオードＤ３と、を備えている。また、ダイオードＤ２とトランジスタＴｒ２との間には、抵抗Ｒ５を介してＣＰＵ１３のＩ／ＯポートＰ１（出力）に接続されている。さらに直流検出回路を構成する抵抗Ｒ３と抵抗Ｒ４との間はＣＰＵ１３のＩ／ＯポートＰ２（入力）に接続されている。
【００３７】
ＡＣＡＣ電源供給回路部２０２は、交流電源１１の＋端子に接続されたメインスイッチＳＷ２と、交流電源１１の−端子に接続されたメインスイッチＳＷ３と、メインスイッチＳＷ２の出力側に接続されたトライアック回路ＴＲＣ１と、トライアック回路ＴＲＣ１の第一出力Ｓｒ１とメインスイッチＳＷ３とに接続されたヒータＨＴＲ１と、を備えている。また、トライアック回路ＴＲＣ１の第二出力Ｓｒ２はＣＰＵ１３のＩ／ＯポートＰ５（出力）に接続されている。また、第二出力Ｓｒ２とＣＰＵ１３のＩ／ＯポートＰ５との間は抵抗Ｒ６を介して接地されている。さらに、メインスイッチＳＷ１，ＳＷ２，ＳＷ３は連動式のメインスイッチを構成している。
【００３８】
ＡＣＤＣ電源供給回路部２０３は、メインスイッチＳＷ２とトライアック回路ＴＲＣ１との間並びにヒータＨＴＲ１とメインスイッチＳＷ３との間に接続された一対の切換スイッチＡＤＳＷ１と、切換スイッチＡＤＳＷ１の出力端に接続されたＡＣ／ＤＣ変換回路ＡＣＤＣ１と、ＡＣ／ＤＣ変換回路ＡＣＤＣ１の出力端にアノード接続されたダイオードＤ４と、ダイオードＤ４にカソード接続された交流検出回路としての抵抗Ｒ７，Ｒ８と、を備えている。尚、ダイオードＤ４のカソードはダイオードＤ２と抵抗Ｒ５との間に接続され、抵抗Ｒ７と抵抗Ｒ８との間はＣＰＵ１３のＩ／Ｏポート３（入力）に接続され、切換スイッチＡＤＳＷ１はＣＰＵ１３のＩ／ＯポートＰ４（出力）に接続されてＯＮ／ＯＦＦ制御する電源供給切換回路部として機能する。また、切換スイッチＡＤＳＷ１とＩ／ＯポートＰ４との間は抵抗Ｒ９を解して接地されている。
【００３９】
ＡＣ／ＤＣ変換回路ＡＣＤＣ１は、ＡＤＳＷ１がＯＮの時に、交流電源１１から直流（４８Ｖ）を作り出すスイッチングレギュレーターである。
【００４０】
直流電圧変換回路ＤＣＤＣ１は直流４８Ｖから、５Ｖ（又は３．３Ｖ）を作り出すスイッチングレギュレータである。尚、直流電圧に応じて直流電圧変換回路ＤＣＤＣ１を複数並列に設置しても良い。
【００４１】
このような構成では、スリープモード時に、ＣＰＵ１３の電源供給を断することができ、省エネルギー化に有効である。
【００４２】
具体的には、Ｔｒ２：ＯＦＦ、ＤＣＤＣ１：ＯＦＦ、ＴＲＣ１：ＯＦＦ、ＰＣ１：ＯＮ、ＣＰＵ１３：ＯＦＦである。
【００４３】
（電話着信時のシステム立ち上がり）
【００４４】
電話回線コントロール部１００に着信があると、電話回線Ｌ１，Ｌ２に、１６Ｈｚの信号が２秒ＯＮ，１秒ＯＦＦで重畳される。その信号によりフォトカプラＰＣ１がＯＮし、抵抗Ｒ１，Ｒ２の接続ポイントに５Ｖの電圧が発生する。その５Ｖ電圧は、ＣＰＵ１３のＶｃｃに供給される。ＯＮ期間が２秒間と長いため、ＣＰＵ１３は余裕を持って立ち上がることができる。さらに、立ち上がったＣＰＵ１３はＩ／ＯポートＰ１の電位をＬｏｗにすることにより、Ｔｒ２がＯＮされ、４８ＶがＤＣＤＣ１に供給され、ＣＰＵ１３に正規の５Ｖ電圧が供給される。また、立ち上がってＣＰＵ１３はＴＲＣ１をＯＮし、ヒータＨＴＲ１の加熱を開始する。
【００４５】
（スリープ移行時）
ファクスを受信して、印刷が終了すると、ＣＰＵ１３は図示しないタイマのカウントを開始し、一定時間（ユーザー変更可能）経過すると、ＣＰＵ１３はＩ／ＯポートＰ１をＨｉｇｈにする。これにより、Ｔｒ２はＯＦＦとなりＣＰＵ１３のＶＣＣに供給されている５Ｖが断となり、ＣＰＵ１３は動作を停止する。また、ＣＰＵ１３は、スリーブ移行時にＴＲＣ１をＯＦＦし、ヒータＨＴＲ１の加熱を終了する。
【００４６】
このように、ファクス受信時以外にはＣＰＵの１３電源を遮断することにより無駄なエネルギーの消費を抑え、ファクス着信時にはＣＰＵ１３に電源を供給しシステムを稼動させる効率の良いファクシミリ機能を提供することができる。
【００４７】
図４は、このようなＣＰＵ１３による制御ルーチンを示すフロー図である。尚、ここではメインスイッチＳＷ１〜ＳＷ３をＯＮ状態から説明する。この際、Ｉ／ＯポートＰ１：Ｌｏｗ（Ｔｒ１動作），Ｉ／ＯポートＰ４：Ｌｏｗ（ＡＤＳＷ１ＯＮ），Ｉ／ＯポートＰ５：Ｌｏｗ（ＴＲＣ１：ＯＦＦ）である。
【００４８】
（ステップＳ１）
ステップＳ１では、ＣＰＵ１３は、ＡＣＤＣ１で作られた直流若しくはＤＣＳ１から供給される直流がＣＰＵ１３に供給されてステップＳ２へと移行する。
【００４９】
（ステップＳ２）
ステップＳ２では、ＣＰＵ１３が動作を開始してステップＳ３へと移行する。
【００５０】
（ステップＳ３）
ステップＳ３では、ＣＰＵ１３は、Ｉ／ＯポートＰ３を検出し、ＡＣＳ１からの電源供給の有無を検出する。ＡＣＳ１からの電源供給がない場合にはステップＳ４へと移行し、ＡＣＳ１からの電源供給がある場合にはステップＳ５へと移行する。
【００５１】
（ステップＳ４）
ステップＳ４では、ＣＰＵ１３は、「交流電源を接続してください」等のメッセージを報知部としての操作部１７の表示パネルに表示してステップＳ３へとループする。
【００５２】
（ステップＳ５）
ステップＳ５では、ＣＰＵ１３は、プリンタのイニシャライズを開始（ヒータＯＮなど）してステップＳ６へと移行する。
【００５３】
（ステップＳ６）
ステップＳ６では、ＣＰＵ１３は、Ｉ／ＯポートＰ２を検出し、ＤＣＳ１からの電源供給の有無を検出する。ＤＣＳ１からの電源供給がなかった場合にはステップＳ７へと移行し、ＤＣＳ１からの電源供給があった場合にはステップＳ８へと移行する。
【００５４】
（ステップＳ７）
ステップＳ７では、ＣＰＵ１３は、「直流電源を接続してください」等のメッセージを報知部としての操作部１７の表示パネルに表示してステップＳ８へと移行する。
【００５５】
（ステップＳ８）
ステップＳ８では、ＣＰＵ１３は、通常動作を開始し、その通常動作が終了するまでこのルーチンを続行し、ステップＳ９へと移行する。
【００５６】
（ステップＳ９）
ステップＳ９では、ＣＰＵ１３は、タイマのカウントにより、所定時間何も動作が行われなかったか否かが監視され、カウント継続中の場合にはこのままカウントを監視し、カウントアップした場合にはステップＳ１０へと移行する。
【００５７】
（ステップＳ１０）
ステップＳ１０では、ＣＰＵ１３は、スリープモードを実行してステップＳ１１へと移行する。尚、Ｉ／ＯポートＰ１：ＯＰＥＮ（Ｔｒ１：ＯＦＦ／ＣＰＵ１３ＯＦＦ），Ｉ／ＯポートＰ４：ＯＰＥＮ（ＡＤＳＷ１ＯＦＦ），Ｉ／ＯポートＰ５：ＯＰＥＮ（ＴＲＣ１：ＯＦＦ）である。
【００５８】
（ステップＳ１１）
ステップＳ１１では、ＣＰＵ１３は、電話着信（着呼）があったか否かを監視し、着呼有りの場合にはステップＳ１２へと移行し、着呼無しの場合には引き続きこのルーチンを監視する。尚、ファクシミリ専用機（他の電子機器専用機）でない場合、例えば、プリンタ機能の実行などの割り込みが発生した場合にはステップＳ８の通常動作に移行する。
【００５９】
（ステップＳ１２）
ステップＳ１２では、ＰＣ１がＯＮしてＣＰＵ１３に直流電源（５Ｖ）が供給され、ステップＳ１３へと移行する。
【００６０】
（ステップＳ１３）
ステップＳ１３では、ＣＰＵ１３は、ステップＳ１２での電源供給により、Ｉ／ＯポートＰ２をＬＯＷにしてＴｒ２を動作させステップＳ１４へと移行する。
【００６１】
（ステップＳ１４）
ステップＳ１４では、ＣＰＵ１３は、受信を開始してステップＳ１５へと移行する。
【００６２】
（ステップＳ１５）
ステップＳ１４では、ＣＰＵ１３は、受信信号の受信並びにプリンタ出力が終わるまで動作を優先して行い、受信及びプリンタ出力が終了した時点でステップＳ９へとループしてこのルーチンを終了する。
【００６３】
このように、本実施形態においては、直流回路には直流４８Ｖ給電か交流１００Ｖ給電からＡＣ／ＤＣ変換回路ＡＣＤＣ１を通した直流によりってＣＰＵ１３を動作させる。
【００６４】
その後、交流電源の有無を確認し、接続されていない場合はヒータＨＴＲ１を動作させることができないため、交流接続を促すメッセージを表示し停止する。
【００６５】
また、交流電源がある場合は、プリンタのイニシャライズを行い、その後、直流が給電されているかを検知する。供給されているときは、交流１００Ｖから直流を作り出すことは不要であるので、ＡＤＳＷ１をＯＦＦにする。
【００６６】
このシーケンスにより、直流・交流両給電時に最適な構成でプリンタを動作させることができる。
【符号の説明】
【００６７】
６    直流電源用蓄電池
１０    交流・直流両給電型ＩＣ搭載電気製品
１１    交流電源用入力端子（交流電源）
１２    直流電源用入力端子（直流電源）
１３    ＣＰＵ（制御部）
１４    ヒータ（駆動部）
１７    操作部（報知部）
２０１    ＤＣＤＣ電源供給回路部
ＡＣＤＣ１    ＡＣＤＣ変換部
ＰＣ１    復帰電源供給回路部
ＡＤＳＷ１    電源供給切換回路部
ＤＣＤＣ１    ＤＣＤＣ変換回路
【先行技術文献】
【特許文献】
【００６８】
【特許文献１】特開平０８−０６５４０９号公報
【図１】
2012170303.tif 000003
【図２】
2012170303.tif 000004
【図３】
2012170303.tif 000005
【図４】
2012170303.tif 000006
【図５】
2012170303.tif 000007
【図６】
2012170303.tif 000008
【図７】
2012170303.tif 000009